(57)【特許請求の範囲】
【請求項１】
版胴（２０）とプレスローラー（２２）との間を通過して印刷された用紙を、排紙ベルト（３０）で吸着しながら搬送して排出する輪転孔版印刷機（１）において、上記版胴（２０）の最高周速（２９ｆ）より低い一定の周速（３９ａ）で上記排紙ベルト（３０）を駆動することができる第１の駆動手段と、上記版胴（２０）の周速（２９ｅ，２９ｆ）に対し一定割合で増速した周速（３９ｅ，３９ｆ）で上記排紙ベルト（３０）を駆動することができる第２の駆動手段と、上記排紙ベルト（３０）を駆動するとき、該排紙ベルト（３０）をより早い周速で駆動する上記第１または第２の駆動手段を選択する駆動選択手段とを備えたことを特徴とする、輪転孔版印刷機。
【発明の詳細な説明】
【０００１】
【発明の属する技術分野】
本発明は、輪転孔版印刷機および輪転孔版印刷機の排紙ベルトの周速制御方法に関する。
【０００２】
【従来の技術】
従来、図１の正面略図に示す輪転孔版印刷機１では、版胴２０とプレスローラー２２との間を通過してその上面に印刷された用紙は、その下面が排紙ベルト３０に吸着されながら搬送され、紙受台４０に排出されるようになっている。この輪転孔版印刷機１では、排出された用紙は、紙受台４０のガイド板４２に当たり、用紙先端が揃った状態で紙受台４０上に重ねられるようになっている。一般には、排紙ベルト３０の周速は、版胴２０の周速より若干速く設定される。排紙ベルト３０は、版胴２０と同一の駆動源で駆動され、版胴２０の周速に対して一定割合で増速される場合と、専用の駆動源によって一定周速で駆動される場合とがある。
【０００３】
ところで、印刷開始直後には、版胴２０に装着された孔版原紙にインクが十分に馴染んでいないため、印刷かすれが生じないように版胴２０を非常にゆっくりと回転して印刷する必要がある。このとき、版胴２０の周速に対して一定の割合で増速する場合には、排紙ベルト３０の周速が遅くなりすぎ、印刷された用紙は、排紙ベルト３０から用紙が勢いよく排出されないので、紙受台４０のガイド板４２に当たらない。そのため、紙受台４０上の印刷済み用紙の重なりが不揃いとなる。
【０００４】
一方、排紙ベルト３０を一定周速で駆動する場合には、排紙ベルト３０の周速は、版胴２０の最高周速よりも若干高速に設定し、常に版胴２０の周速より速くなるようにしておく必要がある。この場合には、紙受台４０上の印刷済み用紙の不揃いは生じないが、印刷時の騒音が常に大きくなる。また、柔らかい用紙では紙受台４０のガイド板４２に当たって折れ曲がる等の不都合が生じる。
【０００５】
【発明が解決しようとする課題】
したがって、本発明の解決すべき技術的課題は、排紙ベルトの周速を版胴の周速に対応して適切に制御する輪転孔版印刷機および輪転孔版印刷機の排紙ベルトの周速制御方法を提供することである。
【０００６】
【課題を解決するための手段および作用・効果】
上記の技術的課題を解決するため、本発明は、以下の輪転孔版印刷機の排紙ベルトの周速制御方法を提供する。
【０００７】
輪転孔版印刷機は、版胴とプレスローラーとの間を通過して印刷された用紙を、排紙ベルトで吸着して排出するタイプのものである。この輪転孔版印刷機において、上記版胴の周速が所定の基準周速より遅いか等しいときには、この基準周速を下回らず大略等しい周速（好ましくは、上記基準周速より若干速い周速）で上記排紙ベルトを駆動する。一方、上記版胴の周速が上記基準周速より速いときには、上記版胴の周速に大略等しくかつ下回らない周速（好ましくは、上記版胴周速より若干速い周速）で上記排紙ベルトを駆動する。
【０００８】
上記方法によれば、排紙ベルトは、基準周速に大略等しい周速よりも遅い周速では駆動されないので、印刷済み用紙の不揃いが生じないようにすることができる。また、版胴の周速が基準周速より速いときにのみ、排紙ベルトは版胴の周速に応じて高速化されるので、版胴が低速で駆動されるときには、排紙ベルトによる騒音が小さくなる。
【０００９】
したがって、排紙ベルトの周速を版胴の周速に対応して適切に制御することができる。
【００１０】
本発明は、上記方法を実施することができる種々の態様の輪転孔版印刷機を提供する。
【００１３】
本発明の輪転孔版印刷機は、第１の駆動手段と、第２の駆動手段と、駆動選択手段とを備える。上記第１の駆動手段は、上記版胴の最高周速より低い一定周速で上記排紙ベルトを駆動することができる。上記第２の駆動手段は、上記版胴の周速に対し一定割合で増速した速度で上記排紙ベルトを駆動することができる。上記駆動選択手段は、上記排紙ベルトを駆動するとき、該排紙ベルト（３０）をより早い周速で駆動する上記第１または第２の駆動手段を選択する。
【００１４】
上記構成によれば、排紙ベルトは、版胴の周速が基準周速より遅いか等しいときには、第１の駆動手段により大略基準周速に等しい周速で駆動され、版胴の周速が基準周速より速いときには、第２の駆動手段により大略版胴の周速に等しい周速で駆動される。上記構成によれば、機械的な構成のみによって、版胴の周速に応じて排紙ベルトを駆動することができる。
【００１５】
【発明の実施の形態】
以下に、図１〜図３に示した本発明の一実施形態に係る輪転孔版印刷機１について詳細に説明する。
【００１６】
輪転孔版印刷機１は、図１に示すように、版胴２０の両側に、印刷するための用紙１８を載置する給紙台１０と、印刷済み用紙を回収するための紙受台４０とを有する。
【００１７】
給紙台１０は、版胴２０側端部に給紙リング１２とさばき板１３とが設けられ、給紙台１０から用紙１８を１枚ずつ版胴２０側に送り出すようになっている。給紙台１０と版胴２０との間には、一対のタイミングローラー１４が設けられている。給紙台１０から送られた用紙は、その先端がタイミングローラー１４の接線に当接し、タイミングローラー１４が版胴２０の回転に対応した所定のタイミングで回転することによって、傾くことなく版胴２０とプレスローラー２２との間に送り出される。タイミングローラー１４の直前には、用紙の通過を検出する用紙通過センサ１７（図２参照）が設けられていている。
【００１８】
版胴２０の外周面には、製版部２１によって製版された孔版原紙が自動的に装着される。また、原紙回収部２９によって、版胴２０から孔版原紙が自動的に取り外されて回収されるようになっている。版胴２０の下には、適宜に昇降するプレスローラー２２が配置されている。版胴２０の内部には、版胴２０の内周面に接するインクローラー２４が配置され、インクモーター２５（図２参照）によって供給されたインクを版胴２０の内周面に塗布するようになっている。プレスローラー２２は、タイミングローラー１４から送られた用紙が版胴２０とプレスローラー２２との間を通るときに上昇し、用紙を版胴２０の孔版原紙に押し当てる。これによって、用紙に印刷される。
【００１９】
版胴２０と紙受台４０との間には、排紙ベルト３０が設けられている。排紙ベルト３０は、排紙ファン３２（図２参照）の吸引によって、印刷済み用紙をベルト面に吸着するようになっている。排紙ベルト３０への用紙吸着を促進するため、排紙ベルト３０の上方には、トップブローファン３４（図２参照）からエアーが供給されるようになっている。
【００２０】
紙受台４０には、用紙搬送方向４６に直交するガイド板４２が設けられ、排紙ベルト３０から排出された用紙は、その先端がガイド板４２に当たり、揃った状態で紙受台４０上に重なるようになっている。また、紙受台４０には、用紙搬送方向４６に延在し、用紙の両側面を揃える一対のガイド板４４も設けられている。
【００２１】
この印刷機１は、図２のブロック図に示すように、印刷機１の動作を制御するＣＰＵ２には、ＲＯＭ４と、ＲＡＭ５と、電源６と、メインモーター２６と、排紙ベルトモーター３６と、給紙ソレノイド１６と、インクモーター２５と、排紙ファン３２と、トップブローファン３４と、メインモーター２６の速度制御のためのメインモーターエンコーダー２７と、排紙ベルトモーター３６の速度制御のための排紙ベルトモーターエンコーダー３７と、用紙通過センサ１７と、印刷速度設定手段８とが接続されている。
【００２２】
メインモーター２６は、給紙リング１２とタイミングローラー１４と版胴２０を駆動する。給紙ソレノイド１６は、不図示のクラッチを嵌脱して、給紙リング１２およびタイミングローラー１４へメインモーター２６からの回転を伝達または中断する。排紙ベルトモーター３６は、排紙ベルト３０を独立して駆動する。印刷速度設定手段８は、具体的には、たとえば印刷機１の不図示の操作パネルであり、印刷速度の設定値をＣＰＵ２に伝達する。
【００２３】
ＣＰＵ２は、図３のグラフ図に示すように、印刷速度設定手段８によって設定された設定速度に対応して、版胴２０および排紙ベルト３０の周速を設定する。すなわち、設定速度は、印刷速度設定手段８によって超低速〜第５速（最高速度）までの６段階の速度が設定される。ＣＰＵ２は、版胴２０については、設定速度に対応した周速２９ａ〜２９ｆを設定する。一方、排紙ベルト３０について、ＣＰＵ２は、設定速度が超低速〜第３速のときには、第３速に対応する版胴２０の周速２９ｄより若干速い周速３９ａを設定する。また、第４速および第５速のときには、それぞれの設定速度に対応する版胴２０の周速２９ｅ，２９ｆより若干速い周速３９ｅ，３９ｆを設定する。
【００２４】
このように、中程度の印刷速度である第３速を基準に排紙ベルト３０の周速を設定することによって、中程度の印刷速度よりも遅いか等しい超低速〜第３速においても、排紙ベルト３０の周速は中程度３９ａであるので、印刷済み用紙は、中程度の速度で排紙ベルト３０から排出され、紙受台４０のガイド板４２に当たって紙受台４０上に揃った状態で重ねられる。また、排紙ベルト３０の周速は、印刷速度が中程度よりも速い第４速および第５速のときにだけ比較的高速３９ｅ，３９ｆとなり、それ以外のときには比較的低速３９ａであるので、高速印刷時以外での騒音を小さくすることができる。具体的には、上記の基準となる中程度の印刷速度、すなわち第３速は、毎分２０〜８０枚、好ましくは３０〜６０枚である。印刷速度がこの中程度の印刷速度より遅いか等しいときの排紙ベルト３０の周速３９ａは、毎分１７〜３４ｍである。
【００２５】
したがって、排紙ベルト３０の周速を版胴２０の周速に対応して適切に制御することができる。
【００２６】
なお、本発明は上記実施形態に限定されるものではなく、その他種々の態様で実施可能である。たとえば、排紙ベルトモーター３６を一定速度で駆動して第１の駆動手段を構成し、メインモーター２６により版胴２０の周速に対して一定割合で増速した周速で排紙ベルト３０を駆動する別の第２の駆動手段を設け、各駆動手段からの駆動力をそれぞれワンウェイクラッチ（駆動選択手段）を介して排紙ベルト３０に伝達し、より速く排紙ベルト３０を駆動する方の駆動手段によって排紙ベルト３０を駆動するように構成してもよい。
【図面の簡単な説明】
【図１】  従来例および本発明の一実施形態の輪転孔版印刷機の正面略図である。
【図２】  本発明の一実施形態の輪転孔版印刷機のブロック図である。
【図３】  本発明の一実施形態の輪転孔版印刷機の周速のグラフ図である。
【符号の説明】
１  輪転孔版印刷機
２  ＣＰＵ（比較手段、周速設定手段）
４  ＲＯＭ
５  ＲＡＭ
６  電源
８  印刷速度設定手段（版胴周速検出手段）
１０  給紙台
１２  給紙リング
１３  さばき板
１４  タイミングローラー
１６  給紙ソレノイド
１７  用紙通過センサ
１８  用紙
２０  版胴
２１  製版部
２２  プレスローラー
２４  インクローラー
２５  インクモーター
２６  メインモーター
２７  メインモーターエンコーダー
２８  原紙回収部
２９ａ〜２９ｆ  周速
３０  排紙ベルト
３２  排紙ファン
３４  トップブローファン
３６  排紙ベルトモーター（排紙ベルト駆動手段）
３７  排紙ベルトモーターエンコー
３９ａ，３９ｅ，３９ｆ  周速
４０  紙受台
４２，４４  ガイド板
４６  用紙搬送方向
【図１】
0004064500.tif 000002
【図２】
0004064500.tif 000003
【図３】
0004064500.tif 000004